(57)【要約】【課題】各画素がノイズを含むか否かの判定を精度よく行うことができる画像処理装置を提供すること。【解決手段】対象画素から少なくとも３つの方向各々に位置する画素を含む第１の画素群と、対象画素から前記少なくとも３つの方向各々と同一の方向各々に位置する画素であって、第１の画素群には含まれない画素を含む第２の画素群とを抽出する画素抽出部と、対象画素の画素値と、第１の画素群に含まれる画素の画素値とを比較する第１の比較部と、対象画素の画素値と、前記第２の画素群に含まれる画素の画素値とを比較する第２の比較部と、第１および第２の比較部の比較結果に基づき、対象画素の画素値がノイズを含むか否かを判定する判定部とを具備することを特徴とする。【選択図】図１
2013187837.tif 000002
【特許請求の範囲】
【請求項１】
対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、
前記対象画素の画素値と、前記第１の画素群に含まれる画素の画素値とを比較する第１の比較部と、
前記対象画素の画素値と、前記第２の画素群に含まれる画素の画素値とを比較する第２の比較部と、
前記第１および第２の比較部の比較結果に基づき、前記対象画素の画素値がノイズを含むか否かを判定する判定部と
を具備することを特徴とする画像処理装置。
【請求項２】
前記第１の比較部は、前記画素値の大小関係を比較し、
前記第２の比較部は、前記画素値の大小関係を比較し、
前記判定部は、前記第１の比較部による比較結果と、前記第２の比較部による比較結果とが、予め設定された結果候補のいずれかと一致するときは、前記対象画素の画素値がノイズを含むと判定すること
を特徴とする請求項１に記載の画像処理装置。
【請求項３】
前記判定部は、前記第１の比較部による比較結果と、前記第２の比較部による比較結果とが、前記結果候補のいずれかと一致するときであっても、同じ結果候補と一致するときは、前記対象画素の画素値はノイズを含まないと判定することを特徴とする請求項２に記載の画像処理装置。
【請求項４】
前記判定部は、前記第１の比較部による比較結果と、前記第２の比較部による比較結果とが、前記結果候補のいずれかと一致するときであり、かつ、同じ結果候補と一致するときであっても、前記対象画素の画素値が、前記第１の画素群または前記第２の画素群の全ての画素の画素値より大きいまたは小さいときは、前記対象画素の画素値はノイズを含むと判定することを特徴とする請求項３に記載の画像処理装置。
【請求項５】
前記少なくとも３つの方向は、右方向、左方向、上方向、下方向、右上方向、右下方向、左下方向、左上方向の８方向であることを特徴とする請求項１から請求項４のいずれかの項に記載の画像処理装置。
【請求項６】
対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、
前記対象画素の画素値と、前記第１の画素群に含まれる画素の画素値とを比較する第１の比較部と、
前記対象画素の画素値と、前記第２の画素群に含まれる画素の画素値とを比較する第２の比較部と、
前記第１および第２の比較部の比較結果に基づき、前記対象画素の画素値がノイズを含むか否かを判定する判定部と
を具備することを特徴とするプロセッサ。
【請求項７】
対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、
前記対象画素の画素値と、前記第１の画素群に含まれる画素の画素値とを比較する第１の比較部と、
前記対象画素の画素値と、前記第２の画素群に含まれる画素の画素値とを比較する第２の比較部と、
前記第１および第２の比較部の比較結果に基づき、前記対象画素の画素値がノイズを含むか否かを判定する判定部と
を具備することを特徴とする映像表示装置。
【請求項８】
対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する第１の過程と、
前記対象画素の画素値と、前記第１の画素群に含まれる画素の画素値とを比較する第２の過程と、
前記対象画素の画素値と、前記第２の画素群に含まれる画素の画素値とを比較する第３の過程と、
前記第１および第２の比較部の比較結果に基づき、前記対象画素の画素値がノイズを含むか否かを判定する第４の過程と
を有することを特徴とする画像処理方法。
【請求項９】
コンピュータを、
対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部、
前記対象画素の画素値と、前記第１の画素群に含まれる画素の画素値とを比較する第１の比較部、
前記対象画素の画素値と、前記第２の画素群に含まれる画素の画素値とを比較する第２の比較部、
前記第１および第２の比較部の比較結果に基づき、前記対象画素の画素値がノイズを含むか否かを判定する判定部
として機能させるためのプログラム。
【発明の詳細な説明】
【技術分野】
【０００１】
本発明は、画像処理装置、プロセッサ、映像表示装置、画像処理方法およびプログラムに関する。
【背景技術】
【０００２】
従来から、画像の撮像や伝送を行う際、いわゆるスノーノイズ、ガウスノイズ、ショットノイズなどの雑音成分が画像信号に混入することが知られている。例えば、アナログテレビジョン信号の放送波を受信する際、受信する放送波の電界強度が弱いと、放送波を受信した受信信号は雑音成分の多い映像信号となる。また、デジタル放送においても、過去に録画したアナログ映像をデジタル化して再放送することも多く、その場合の映像信号は、雑音成分の多い映像信号となる。
【０００３】
この雑音成分を低減する技術として、ローパスフィルタが知られているが、ローパスフィルタを用いた場合、映像信号における画素の画素値（例えば、輝度信号の値）を平均化処理するため、映像がぼやけてしまうという問題がある。
すなわち、雑音成分の多い画像においては、雑音低減回路が雑音低減処理を行うことにより、雑音が低減することによって、その点では画質が改善されることになる。しかし、その一方では、エッジがぼやけることによって、その点では画質が劣化してしまう。
この問題を改善するため、以下に示すメディアンフィルタを用いた適応型ローパスフィルタが提案されている。
【０００４】
特許文献１においては、雑音低減回路が映像信号の垂直ブランキング期間における画像信号の無いライン部分の雑音成分を検出して、その雑音成分の電圧（ノイズ量Ｅ３）を基にして映像信号における雑音の低減を行うことが示されている。
【先行技術文献】
【特許文献】
【０００５】
【特許文献１】特開平０７−２５０２６４号公報
【発明の概要】
【発明が解決しようとする課題】
【０００６】
しかしながら、上述の従来の方法においては、ノイズを含まない画素に対してもノイズ低減処理を適用してしまい、映像がボケてしまうことがあるという問題がある。
【０００７】
本発明は、このような事情に鑑みてなされたもので、その目的は、各画素がノイズを含むか否かの判定を精度よく行うことができる画像処理装置、プロセッサ、映像表示装置、画像処理方法およびプログラムを提供することにある。
【課題を解決するための手段】
【０００８】
（１）この発明は上述した課題を解決するためになされたもので、本発明の一態様は、対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、前記対象画素の画素値と、前記第１の画素群に含まれる画素の画素値とを比較する第１の比較部と、前記対象画素の画素値と、前記第２の画素群に含まれる画素の画素値とを比較する第２の比較部と、前記第１および第２の比較部の比較結果に基づき、前記対象画素の画素値がノイズを含むか否かを判定する判定部とを具備することを特徴とする画像処理装置である。
【０００９】
（２）また、本発明の他の態様は、上述の画像処理装置であって、前記第１の比較部は、前記画素値の大小関係を比較し、前記第２の比較部は、前記画素値の大小関係を比較し、前記判定部は、前記第１の比較部による比較結果と、前記第２の比較部による比較結果とが、予め設定された結果候補のいずれかと一致するときは、前記対象画素の画素値がノイズを含むと判定することを特徴とする。
【００１０】
（３）また、本発明の他の態様は、上述の画像処理装置であって、前記判定部は、前記第１の比較部による比較結果と、前記第２の比較部による比較結果とが、前記結果候補のいずれかと一致するときであっても、同じ結果候補と一致するときは、前記対象画素の画素値はノイズを含まないと判定することを特徴とする。
【００１１】
（４）また、本発明の他の態様は、上述の画像処理装置であって、前記判定部は、前記第１の比較部による比較結果と、前記第２の比較部による比較結果とが、前記結果候補のいずれかと一致するときであり、かつ、同じ結果候補と一致するときであっても、前記対象画素の画素値が、前記第１の画素群または前記第２の画素群の全ての画素の画素値より大きいまたは小さいときは、前記対象画素の画素値はノイズを含むと判定することを特徴とする。
【００１２】
（５）また、本発明の他の態様は、上述のいずれかの画像処理装置であって、前記少なくとも３つの方向は、右方向、左方向、上方向、下方向、右上方向、右下方向、左下方向、左上方向の８方向であることを特徴とする。
【００１３】
（６）また、本発明の他の態様は、対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、前記対象画素の画素値と、前記第１の画素群に含まれる画素の画素値とを比較する第１の比較部と、前記対象画素の画素値と、前記第２の画素群に含まれる画素の画素値とを比較する第２の比較部と、前記第１および第２の比較部の比較結果に基づき、前記対象画素の画素値がノイズを含むか否かを判定する判定部とを具備することを特徴とするプロセッサである。
【００１４】
（７）また、本発明の他の態様は、対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部と、前記対象画素の画素値と、前記第１の画素群に含まれる画素の画素値とを比較する第１の比較部と、前記対象画素の画素値と、前記第２の画素群に含まれる画素の画素値とを比較する第２の比較部と、前記第１および第２の比較部の比較結果に基づき、前記対象画素の画素値がノイズを含むか否かを判定する判定部とを具備することを特徴とする映像表示装置である。
【００１５】
（８）また、本発明の他の態様は、対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する第１の過程と、前記対象画素の画素値と、前記第１の画素群に含まれる画素の画素値とを比較する第２の過程と、前記対象画素の画素値と、前記第２の画素群に含まれる画素の画素値とを比較する第３の過程と、前記第１および第２の比較部の比較結果に基づき、前記対象画素の画素値がノイズを含むか否かを判定する第４の過程とを有することを特徴とする画像処理方法である。
【００１６】
（９）また、本発明の他の態様は、コンピュータを、対象画素から少なくとも３つの方向各々に位置する画素を含む第１の画素群と、前記対象画素から前記少なくとも３つの方向各々と略同一の方向各々に位置する画素であって、前記第１の画素群には含まれない画素を含む第２の画素群とを抽出する画素抽出部、前記対象画素の画素値と、前記第１の画素群に含まれる画素の画素値とを比較する第１の比較部、前記対象画素の画素値と、前記第２の画素群に含まれる画素の画素値とを比較する第２の比較部、前記第１および第２の比較部の比較結果に基づき、前記対象画素の画素値がノイズを含むか否かを判定する判定部
として機能させるためのプログラムである。
【発明の効果】
【００１７】
この発明によれば、各画素がノイズを含むか否かの判定を精度よく行うことができる。
【図面の簡単な説明】
【００１８】
【図１】この発明の第１の実施形態による映像表示装置１０の構成を示す概略ブロック図である。
【図２】同実施形態におけるＮＲ回路１６の構成を示す概略ブロック図である。
【図３】同実施形態における信号Ａ、信号Ｂ１〜Ｂ８、信号Ｃ１〜Ｃ８に対応する画素の位置関係を示す図である。
【図４】同実施形態におけるＤＬＳ部６０１の構成を示す概略ブロック図である。
【図５】同実施形態における予め決められたパターンと、該パターンと一致したときの信号値との例を示す図である。
【図６】同実施形態における映像重畳回路１７の構成を示す概略ブロック図である。
【図７】同実施形態における映像重畳回路１７の出力信号ＧＭが表す映像の例を示す図である。
【図８】原画像の例を示す図である。
【図９】従来の方法を原画像に対して水平方向で適用した画像を示す図である。
【図１０】従来の方法を原画像に対して水平方向で適用した後、垂直方向に適用した画像を示す図である。
【図１１】同実施形態によるノイズ低減処理を、原画像に対して適用した画像である。
【図１２】この発明の第２の実施形態による映像表示装置１０ａの構成を示す概略ブロック図である。
【図１３】同実施形態におけるＥＨ回路２１ａの構成を示す概略ブロック図である。
【図１４】同実施形態における信号Ａ、信号Ｂ１〜Ｂ８、信号Ｃ１〜Ｃ８に対応する画素の位置関係を示す図である。
【図１５】同実施形態における予め決められたパターンの例と、該パターンと一致したときの信号値との例を示す図である。
【図１６】同実施形態によるノイズ低減処理およびエンハンス処理を、原画像に対して適用した画像を示す図である。
【図１７】同実施形態によるノイズ低減処理と、従来のエンハンス処理を、原画像に対して適用した画像を示す図である。
【図１８】この発明の第３の実施形態による映像表示装置１０ｂの構成を示す概略ブロック図である。
【図１９】同実施形態におけるＮＲＥＨ回路１６ｂの構成を示す概略ブロック図である。
【発明を実施するための形態】
【００１９】
［第１の実施形態］
以下、図面を参照して、本発明の第１の実施形態について説明する。図１は、この発明の第１の実施形態による映像表示装置１０の構成を示す概略ブロック図である。映像表示装置１０は、テレビジョン放送の無線信号ＲＦ、映像信号であるコンポジット信号Ｃ、ＨＤＭＩ（High-Definition Multimedia Interface）規格の映像信号ＨＤＭＩなどの入力を受けて、無線信号ＲＦに基づく映像信号、あるいは、入力された映像信号に対してノイズ低減処理を施してから該映像信号の映像を表示する。また、映像表示装置１０は、重畳映像信号Ｍが入力されているときは、表示する映像に、重畳映像信号Ｍの映像を重畳する。
【００２０】
図１に示すように、映像表示装置１０は、チューナー部１１、ＳｏＣ（System-on-a-Chip）部１２、画質調整部１５、液晶モジュール１８を含んで構成される。また、ＳｏＣ部１２は、デコーダ部１３、解像度変換部１４を含んで構成される。また、画質調整部１５は、ＮＲ（Noise Reduction；ノイズ低減）回路１６、映像重畳回路１７を含んで構成される。また、液晶モジュール１８は、ＴＣＯＮ（タイミングコントローラ）部１９、ＬＣＤ（Liquid-Crystal Display；液晶ディスプレイ）部２０を含んで構成される。
【００２１】
チューナー部１１は、例えば、映像表示装置１０に接続されたアンテナが受信するなどして、外部から入力されたテレビジョン放送の無線信号ＲＦを検波し、映像信号を抽出する。デコーダ部１３は、チューナー部１１が抽出した映像信号、外部から入力されたコンポジット信号Ｃ、ＨＤＭＩ規格の映像信号ＨＤＭＩなどをデコードして、各画素のＲＧＢ（赤緑青）値を示すＲＧＢ信号を生成する。解像度変換部１４は、デコーダ部１３が生成したＲＧＢ信号の解像度を、ＬＣＤ部２０の解像度に合わせた解像度に変換する。
【００２２】
ＮＲ回路１６は、解像度変換部１４が変換したＲＧＢ信号のＲ信号、Ｇ信号、Ｂ信号各々に対して、ノイズ低減処理をする。映像重畳回路１７は、ＮＲ回路１６によりノイズ低減処理されたＲＧＢ信号に対して、外部から入力された重畳映像信号Ｍの映像を重畳する。ＴＣＯＮ部１９は、映像重畳回路１７により重畳映像信号Ｍの映像が重畳されたＲＧＢ信号を、ＬＣＤ部２０の仕様に合わせた信号とタイミングに変換する。このＬＣＤ２０は、マトリックス状に配置された画素を有し、ＴＣＯＮ部１９から入力された信号に従い、これらの画素の輝度を制御することで、映像を表示する液晶パネルである。
【００２３】
図２は、ＮＲ回路１６の構成を示す概略ブロック図である。ここでは、代表してＲ信号を処理するための構成を示す。Ｇ信号、Ｂ信号各々を処理するための構成も同様であるので、図示および説明を省略する。ＮＲ回路１６は、ＤＬＳ部６０１、ＣＸＡ部６０２、ＢＸＡ部６０３、テーブルＴＸ部６０４、６０５、判定ＴＸ部６０６、減算部６０７、スイッチ６０８、ＡＣＮ部６０９、ＡＢＮ部６１０、テーブルＴＮ部６１１、６１２、判定ＴＮ部６１３、加算部６１４、スイッチ６１５、ノイズ量検出回路６１６を含んで構成される。なお、本実施形態では、テーブルＴＸ部６０４、６０５、判定ＴＸ部６０６で、判定部６１７を構成する。同様に、テーブルＴＮ部６１１、６１２、判定ＴＮ部６１３で、判定部６１８を構成する。
【００２４】
ＤＬＳ部６０１（画素抽出部）は、入力されたＲ信号から、ノイズ低減処理の対象画素の画素値を示す信号Ａ、対象画素から少なくとも３つの方向（ここでは８つの方向）各々に位置する画素を含む第１の画素群の画素値を示す信号Ｂ１〜Ｂ８、対象画素から上述の少なくとも３つの方向各々と略同一の方向（ここでは同一の８つの方向）各々に位置する画素であって、第１の画素群には含まれない画素を含む第２の画素群の画素値を示す信号Ｃ１〜Ｃ８を抽出する。なお、ＤＬＳ部６０１は、ノイズ低減処理の対象画素を、映像のスキャン方向に従い、順次変更することで、映像全体のノイズ低減処理をさせている。
【００２５】
ＣＸＡ部６０２（第２の比較部）は、信号Ａの示す画素値と、信号Ｃ１〜Ｃ８の各々が示す画素値とを比較し、比較結果を示す信号ＣＸを生成する。すなわち、ＣＸＡ部６０２は、対象画素の画素値と、第２の画素群に含まれる画素の画素値とを比較する。具体的には、ＣＸＡ部６０２は、信号Ａの示す画素値と、信号Ｃ１〜Ｃ８の各々が示す画素値との大小関係を比較し、計８ビットの信号ＣＸを生成する。信号ＣＸを構成する各ビットは、それぞれ信号Ｃ１〜Ｃ８の画素値との比較結果を表している。例えば、１つ目のビットが“０”のときは信号Ｃ１の画素値より信号Ａの画素値の方が大きいことを示す。また、１つ目のビットが“１”のときは該ビットに対応するものより信号Ａの方が小さい、あるいは、２つは同じ値であることを示す。
【００２６】
したがって、例えば、信号Ａの画素値が、信号Ｃ１〜Ｃ８のいずれの画素値よりも大きいときは、信号ＣＸは“００００００００”となる。また、信号Ｃ１のみ信号Ａの画素値よりも大きいときは、信号ＣＸは“０１１１１１１１”となり、信号Ｃ１とＣ３とだけ信号Ａの画素値よりも大きいときは、信号ＣＸは“０１０１１１１１”となる。なお、ここでは、信号ＣＸにおけるビットの並び順を、信号Ｃ１〜Ｃ８の順としているが、異なる順序であってもよい。
【００２７】
ＢＸＡ部６０３（第１の比較部）は、ＣＸＡ部６０２と同様に、信号Ａの示す画素値と、信号Ｂ１〜Ｂ８の各々が示す画素値とを比較し、比較結果を示す信号ＢＸを生成する。すなわち、ＢＸＡ部６０３は、対象画素の画素値と、第１の画素群に含まれる画素の画素値とを比較する。テーブルＴＸ部６０４は、ＣＸＡ部６０２が生成した信号ＣＸが、予め決められたパターン（結果候補）のいずれかに一致するか否かを判定する。テーブルＴＸ部６０４は、一致するときは、一致するパターンに対応する値を示す信号Ｘ１を生成し、一致しないときは、“０”を示す信号Ｘ１を生成する。テーブルＴＸ部６０５は、テーブルＴＸ部６０４と同様に、ＢＸＡ部６０３が生成した信号ＢＸが、予め決められたパターンのいずれかに一致するか否かを判定する。テーブルＴＸ部６０５は、一致するときは、一致するパターンに対応する値を示す信号Ｘ２を生成し、一致しないときは、“０”を示す信号Ｘ２を生成する。なお、この予め決められたパターンについては後述する。また、テーブルＴＸ部６０４における予め決められたパターンと、テーブルＴＸ部６０５における予め決められたパターンとは、一致していることが望ましい。
【００２８】
判定ＴＸ部６０６は、信号Ｘ１および信号Ｘ２に基づき、信号Ａの画素値がプラスのノイズを含むか否かを判定し、判定結果に基づきスイッチ６０８を切り替える。具体的には、判定ＴＸ部６０６は、信号Ｘ１と信号Ｘ２とが共に０でないときは、ノイズを含むと判定する。すなわち、ＣＸＡ部６０２の比較結果と、ＢＸＡ部６０３の比較結果とが、上述のパターンのいずれかと一致するときは（第１の場合）、ノイズを含むと判定する。さらに、判定ＴＸ部６０６は、信号Ｘ１と信号Ｘ２とが共に０でなくても、信号Ｘ１と信号Ｘ２とが同じ値であるときは、ノイズを含まないと判定する。すなわち、上述の第１の場合であっても、同じパターンと一致するときは（第２の場合）、ノイズを含まないと判定する。
【００２９】
さらに、判定ＴＸ部６０６は、信号Ｘ１と信号Ｘ２とが共に０でなく、かつ、同じ結果候補と一致するときであっても、信号Ｘ１と信号Ｘ２とのうちいずれかが、“１”のときは（第３の場合）、対象画素の画素値はノイズを含むと判定する。ここで、信号Ｘ１、Ｘ２が“１”であるということは、信号Ａの画素値が、信号Ｂ１〜Ｂ８または信号Ｃ１〜Ｃ８の全ての画素の画素値より大きいパターンであることを示す。これらを纏めると、判定ＴＸ部６０６は、（Ｘ１≠０  ＡＮＤ  Ｘ２≠０  ＡＮＤ（Ｘ１＝１  ＯＲ  Ｘ２＝１  ＯＲ  Ｘ１≠Ｘ２））が成り立つときは、信号Ａはプラスのノイズを含むと判定する。
【００３０】
なお、判定ＴＸ部６０６において、上述の第１の場合は、処理対象画素よりも画素値が大きい画素が、処理対象画素の周囲にあまりないときに相当するので、このようなときは、処理対象画素がプラスのノイズを含んでいるとみなしている。また、上述の第２の場合は、処理対象画素よりも画素値が大きい画素が、処理対象画素の周囲にあまりないときであっても、処理対象画素よりも画素値が大きい画素が、処理対象画素から見て同じ方向にあるときに相当する。このような場合、処理対象画素の画素値が大きいのは、処理対象画素よりも画素値が大きい画素と処理対象画素とを含む画素値の大きい領域が存在するためであるので、処理対象画素はプラスのノイズを含んでいないとみなしている。また、上述の第３の場合は、処理対象画素よりも画素値が大きい画素が、第１の画素群および第２の画素群に存在しないことに相当するので、このようなときは処理対象画素はプラスのノイズを含んでいるとみなしている。
【００３１】
減算部６０７は、信号Ａの画素値から、ノイズ量検出回路６１６が出力するノイズ量信Ｅが示すノイズ量を減算する。スイッチ６０８は、判定ＴＸ部６０６が信号Ａはプラスのノイズを含むと判定したときは、減算部６０７による減算結果の信号を出力し、プラスのノイズを含まないと判定したときは、ＤＬＳ部６０１からの入力である信号Ａを出力する。
【００３２】
ＡＣＮ部６０９（第２の比較部）は、ＣＸＡ部６０２と同様に、信号Ａの示す画素値と、信号Ｃ１〜Ｃ８の各々が示す画素値とを比較し、比較結果を示す信号ＣＮを生成する。ただし、信号ＣＮのビット値が表す大小関係は、ＣＸＡ部６０２が生成する信号ＣＸと異なる。すなわち、信号ＣＮでは、ビット値が“０”のときは信号Ｃ１の画素値より信号Ａの画素値の方が小さいことを示し、ビット値が“１”のときは該ビットに対応するものより信号Ａの方が大きい、あるいは、２つは同じ値であることを示す。ＡＢＮ部６１０（第１の比較部）は、ＡＣＮ部６０９と同様に、信号Ａの示す画素値と、信号Ｂ１〜Ｂ８の各々が示す画素値とを比較し、比較結果を示す信号ＢＮを生成する。テーブルＴＮ部６１１、テーブルＴＮ部６１２は、それぞれ入力される信号が信号ＣＮ、ＢＮであること以外は、テーブルＴＸ部６０４、テーブルＴＸ部６０５と同様である。なお、テーブルＴＮ部６１１とテーブルＴＮ部６１２とにおいても、これらにおける予め決められたパターンは、一致していることが望ましい。
【００３３】
判定ＴＮ部６１３は、テーブルＴＮ部６１１が生成した信号Ｎ１と、テーブルＴＮ部６１２が生成した信号Ｎ２に基づき、信号Ａの画素値がマイナスのノイズを含むか否かを判定し、判定結果に基づきスイッチ６１５を切り替える。具体的には、判定ＴＮ部６１３は、信号Ｎ１と信号Ｎ２とが共に０でないときは、ノイズを含むと判定する。さらに、判定ＴＮ部６１３は、信号Ｎ１と信号Ｎ２とが共に０でなくても、信号Ｎ１と信号Ｎ２とが同じ値であるときは、ノイズを含まないと判定する。
【００３４】
さらに、判定ＴＮ部６１３は、信号Ｎ１と信号Ｎ２とが共に０でなく、かつ、同じ結果候補と一致するときであっても、信号Ｎ１と信号Ｎ２とのうちいずれかが、“１”のときは、対象画素の画素値はノイズを含むと判定する。ここで、信号Ｎ１、Ｎ２が“１”であるということは、信号Ａの画素値が、信号Ｂ１〜Ｂ８または信号Ｃ１〜Ｃ８の全ての画素の画素値より小さいパターンであることを示す。これらを纏めると、判定ＴＮ部６１３は、判定ＴＸ部６０６と同様に、（Ｎ１≠０  ＡＮＤ  Ｎ２≠０  ＡＮＤ（Ｎ１＝１  ＯＲ  Ｎ２＝１  ＯＲ  Ｎ１≠Ｎ２））が成り立つときは、信号Ａはマイナスのノイズを含むと判定する。
【００３５】
加算部６１４は、信号Ａの画素値に、ノイズ量検出回路６１６が出力するノイズ量信Ｅが示すノイズ量を加算する。スイッチ６１５は、判定ＴＮ部６１３が信号Ａはマイナスのノイズを含むと判定したときは、加算部６１４による加算結果の信号を出力し、マイナスのノイズを含まないと判定したときは、ＤＬＳ部６０１からの入力である信号Ａを出力する。ノイズ量検出回路６１６は、ＤＬＳ部６０１が出力した信号Ｂ１〜Ｂ８に基づき、ノイズ量を検出する。ノイズ量の検出方法は、どのような方法であってもよいが、例えば、信号Ａが示す画素値と、信号Ｂ１〜Ｂ８が示す画素値の平均値との差の絶対値の分布を１フレーム期間集計し、頻度が最大となったところの差をノイズ量として検出する。信号Ｂ１〜Ｂ８が示す画素値の平均値の代わりに、信号Ｂ１〜Ｂ８のうちの一部の平均値、例えば、信号Ｂ４とＢ５が示す画素値の平均値を用いるようにしてもよい。また、信号Ｂ１〜Ｂ８に変えて、信号Ｃ１〜Ｃ８を用いるようにしてもよい。
【００３６】
図３は、ＤＬＳ部６０１が生成する信号Ａ、信号Ｂ１〜Ｂ８、信号Ｃ１〜Ｃ８に対応する画素の位置関係を示す図である。図３では、信号Ａに対応する処理対象画素を基準として、信号Ｂ１〜Ｂ８に対応する画素（第１の画素群）の位置、信号Ｃ１〜Ｃ８の各々に対応する画素（第２の画素群）の位置を示している。図３に示すように、信号Ｂ１〜Ｂ８と、信号Ｃ１〜Ｃ８とは、それぞれ、処理対象画素の右方向、左方向、上方向、下方向、右上方向、右下方向、左下方向、左上方向の８つの方向の各々に位置する。
【００３７】
すなわち、信号Ｂ１とＣ１とに対応する画素は、処理対象画素の左上方向に位置する。信号Ｂ２とＣ２とに対応する画素は、処理対象画素の上方向に位置する。信号Ｂ３とＣ２とに対応する画素は、処理対象画素の右上方向に位置する。信号Ｂ４とＣ４とに対応する画素は、処理対象画素の左方向に位置する。信号Ｂ５とＣ５とに対応する画素は、処理対象画素の右方向に位置する。信号Ｂ６とＣ６とに対応する画素は、処理対象画素の左下方向に位置する。信号Ｂ７とＣ７とに対応する画素は、処理対象画素の下方向に位置する。信号Ｂ８とＣ８とに対応する画素は、処理対象画素の右下方向に位置する。そして、信号Ｂ１〜Ｂ８に対応する画素（第１の画素群）は、処理対象画素から１画素間をおいた位置にある。言い換えるとこれらの間の距離は、２画素である。また、信号Ｃ１〜Ｃ８に対応する画素（第２の画素群）は、処理対象画素から３画素間をおいた位置にある。言い換えるとこれらの間の距離は、４画素である。
【００３８】
図４は、ＤＬＳ部６０１の構成を示す概略ブロック図である。ＤＬＳ部６０１は、対応する画素が図３に示すような位置関係にある信号Ａ、Ｂ１〜Ｂ８、Ｃ１〜Ｃ８を生成する。ＤＬＳ部６０１は、垂直ＤＬ部７０１〜７０４、水平ＤＬ部７０５〜７２２を含んで構成される。垂直ＤＬ部７０１〜７０４は、２ライン分遅延させる遅延回路である。水平ＤＬ部７０５〜７２２は、２画素分遅延させる遅延回路である。図４に示すように、信号Ｃ６は、入力信号が水平ＤＬ部７０５〜７０８を経由することで生成される。信号Ｃ７は、入力信号が水平ＤＬ部７０５、７０６を経由することで生成される。信号Ｃ８は、入力信号がそのまま出力される。
【００３９】
信号Ｂ６は、入力信号が垂直ＤＬ部７０１と、水平ＤＬ部７０９〜７１１を経由することで生成される。信号Ｂ７は、入力信号が垂直ＤＬ部７０１と、水平ＤＬ部７０９、７１０を経由することで生成される。信号Ｂ８は、入力信号が垂直ＤＬ部７０１と、水平ＤＬ部７０９を経由することで生成される。信号Ｃ４は、入力信号が垂直ＤＬ部７０１、７０２と、水平ＤＬ部７１２〜７１５を経由することで生成される。信号Ｂ４は、入力信号が垂直ＤＬ部７０１、７０２と、水平ＤＬ部７１２〜７１４を経由することで生成される。信号Ａは、入力信号が垂直ＤＬ部７０１、７０２と、水平ＤＬ部７１２、７１３を経由することで生成される。信号Ｂ５は、入力信号が垂直ＤＬ部７０１、７０２と、水平ＤＬ部７１２を経由することで生成される。信号Ｃ５は、入力信号が垂直ＤＬ部７０１、７０２を経由することで生成される。
【００４０】
信号Ｂ１は、入力信号が垂直ＤＬ部７０１〜７０３と、水平ＤＬ部７１６〜７１８を経由することで生成される。信号Ｂ２は、入力信号が垂直ＤＬ部７０１〜７０３と、水平ＤＬ部７１６、７１７を経由することで生成される。信号Ｂ３は、入力信号が垂直ＤＬ部７０１〜７０３と、水平ＤＬ部７１６を経由することで生成される。信号Ｃ１は、入力信号が垂直ＤＬ部７０１〜７０４と、水平ＤＬ部７１９〜７２２を経由することで生成される。信号Ｃ２は、入力信号が垂直ＤＬ部７０１〜７０４と、水平ＤＬ部７１９〜７２０を経由することで生成される。信号Ｃ３は、入力信号が垂直ＤＬ部７０１〜７０４を経由することで生成される。
【００４１】
図５は、テーブルＴＸ部６０４、６０５、テーブルＴＮ部６１１、６１２における予め決められたパターンと、該パターンと一致したときの信号値との例を示す図である。図５に示す例では、予め決められたパターンとして、９つのパターンを示す。九つの小さな矩形に区切られた大きな矩形の各々が、予め決められたパターンを示す。また、これらの大きな矩形の中心に位置する小さな矩形（網掛けされた矩形）内の数字は、入力された信号と該パターンとが一致したときに、テーブルＴＸ部６０４、６０５、テーブルＴＮ部６１１、６１２が出力する信号の値を示す。また、この中心の小さな矩形を除く、その他の小さな矩形内の数字は、予め決められたパターンの各ビットの値を示す。
【００４２】
ビットの並び順は左上、上、右上、左、右、左下、下、右下の順である。すなわち、パターン“００００００００”と一致したときに出力する信号の値は“１”である。同様に、パターン“０００００００１”と一致したときに出力する信号の値は“２”である。パターン“００００００１０”と一致したときに出力する信号の値は“３”である。パターン“０００００１００”と一致したときに出力する信号の値は“５”である。パターン“００００１０００”と一致したときに出力する信号の値は“９”である。パターン“０００１００００”と一致したときに出力する信号の値は“１７”である。パターン“００１０００００”と一致したときに出力する信号の値は“３３”である。パターン“０１００００００”と一致したときに出力する信号の値は“６５”である。パターン“１０００００００”と一致したときに出力する信号の値は“１２９”である。
【００４３】
図６は、映像重畳回路１７の構成を示す概略ブロック図である。ここでは、代表してＲ信号を処理するための構成を示す。Ｇ信号、Ｂ信号各々を処理するための構成も同様であるので、図示および説明を省略する。図６に示すように、映像重畳回路１７は、リードタイミング回路８０１、ライトタイミング回路８０２、フレームメモリ８０３、スイッチ８０４を含んで構成される。ＮＲ回路１６により、ノイズ低減された映像信号は、図６において主入力信号Ｇとして入力される。リードタイミング回路８０１は、主入力信号Ｇに同期したリードアドレスＲＡを生成して、フレームメモリ８０３に出力する。また、リードタイミング回路８０１は、スイッチ８０４を制御する。具体的には、リードタイミング回路８０１は、生成したリードアドレスＲＡの値が予め決められた値（重畳映像を挿入する位置のアドレス）であるときは、フレームメモリ８０３から出力されたリードアドレスＲＡの画素値の信号を、ＴＣＯＮ部１９に出力する出力信号ＧＭとし、それ以外のときは、主入力信号Ｇを出力信号ＧＭとする。
【００４４】
ライトタイミング回路８０２は、重畳映像信号Ｍに同期してライトアドレスＷＡを生成し、フレームメモリ８０３に出力する。これにより、重畳映像信号Ｍが表す映像をフレームメモリ８０３に書き込む位置を制御する。ライトタイミング回路８０２が生成するライトアドレスＷＡは、リードタイミング回路８０１における予め決められた値（重畳映像を挿入する位置のアドレス）と一致する。すなわち、ライトタイミング回路８０２が生成したライトアドレスＷＡにより、フレームメモリ８０３に書き込まれた重畳映像は、リードタイミング回路８０１が生成したリードアドレスＲＡに従い読み出される。このときスイッチ８０４は、フレームメモリ８０３の出力を出力信号ＧＭとするように制御されているので、出力信号ＧＭとして重畳映像の信号が出力される。
【００４５】
図７は、映像重畳回路１７の出力信号ＧＭが表す映像の例を示す図である。図７に示すように、映像重畳回路１７の出力信号ＧＭが表す映像は、符号Ｇ１で示す映像重畳回路１７への主入力信号Ｇが表す映像に、符号Ｍ１で示す重畳映像信号Ｍが表す映像が重ねられている。なお、映像表示装置１０に入力される映像の縦横比が、４：３であり、ＬＣＤ部２０の表示エリアの縦横比が１６：９であるときは、例えば、解像度変換部１４において解像度変換する際に、映像表示装置１０に入力される映像を左詰めにしておく。そして、左詰めにした結果、１６：９の表示エリアで表示すべき映像がなくなってしまう右端の部分に、図７に示すように重畳映像を重ねることができる。なお、解像度変換部１４において右詰めにして、左端に重畳映像を重ねるようにしてもよいし、解像度変換部１４において中心に位置させ、左端と右端とに重畳映像を重ねるようにするなど、どのような組合せであってもよい。
【００４６】
図８は、本実施形態によるノイズ低減処理を施していない画像（原画像）の例を示す。図８に示すように、背景にノイズが目立っている。図９は、従来の方法を原画像に対して水平方向で適用した画像である。未だ背景にノイズが残っている。図１０は、従来の方法を原画像に対して水平方向で適用した後、垂直方向に適用した画像である。図１０では背景のノイズが減っているが、顔やセーターなどがボケてしまう。図１１は、本実施形態によるノイズ低減処理を、原画像に対して適用した画像である。図１１に示す画像では、ノイズがよく低減されているとともに、図１０では発生していた顔やセーターなどのボケはあまり生じていないことがわかる。
このように、本実施形態によれば、各画素がノイズを含むか否かの判定を精度よく行うことができるので、ノイズを低減しつつ、映像のボケを抑えることができる。
【００４７】
なお、図３において、処理対象画素と、第１の画素群の画素各々との距離は２画素であり、第１の画素群の画素各々と、第２の画素群の画素のうち最も近いものとの距離は２画素であるが、この距離は、解像度変換部１４において解像度変換する際の倍率よりも大きな値とすることが望ましい。ノイズは、解像度変換前の映像に乗っているので、ある画素に乗っていたノイズの影響を、これらの画素のうちの複数の画素が受けないようにするためである。また、解像度変換部１４における倍率に応じて、これらの距離を変更し、第１の画素群および第２の画素群の処理対象画素に対する位置を決定するようにしてもよい。
【００４８】
また、第１の画素群と、第２の画素群とは、処理対象画素から同一の方向に位置するように配置したが、略同一の方向であってもよい。例えば、信号Ｃ１の画素が右に１画素ずれていてもよい。
また、テーブルＴＸ部６０４、６０５、テーブルＴＮ部６１１、６１２における予め決められたパターンは、同一としたが異なっていてもよい。ただし、テーブルＴＸ部６０４、６０５では、共通するものがある方が望ましい。判定ＴＸ部６０６において、信号Ｘ１と信号Ｘ２とが共に０でなくても、信号Ｘ１と信号Ｘ２とが同じ値であるときは、ノイズを含まないと判定することができるようにするためである。同様に、テーブルＴＮ部６１１、６１２では、共通するものがある方が望ましい。
【００４９】
また、テーブルＴＸ部６０４、６０５、テーブルＴＮ部６１１、６１２における予め決められたパターンは、全てのビットが“０”と、１つを除いた残りの７つのビットが“０”の場合のみとしたが、その他を含んでいてもよい。例えば、多くの映像データに対して、様々なパターンを試行し、試行結果の良いパターンを用いるようにしてもよい。
【００５０】
［第２の実施形態］
以下、図面を参照して、本発明の第２の実施形態について説明する。図１２は、この発明の第２の実施形態による映像表示装置１０ａの構成を示す概略ブロック図である。同図において、図１の各部に対応する部分には、同一の符号（１１〜１４、１６〜２０）を付し、説明を省略する。映像表示装置１０ａは、図１における映像表示装置１０とは、画質調整部１５に変えて画質調整部１５ａを有する点のみが異なる。また、画質調整部１５ａは、画質調整部１５とは、ＮＲ回路１６と映像重畳回路１７との間に、映像をエンハンス（強調）するＥＨ回路２１ａを有する点のみが異なる。
【００５１】
図１３は、ＥＨ回路２１ａの構成を示す概略ブロック図である。ここでは、代表してＲ信号を処理するための構成を示す。Ｇ信号、Ｂ信号各々を処理するための構成も同様であるので、図示および説明を省略する。同図において、図２の各部に対応する部分には、同一の符号（６０２、６０３、６０９、６１０）を付し、説明を省略する。本実施形態におけるＥＨ回路２１ａは、ＮＲ回路１６がノイズ低減処理をした映像信号に対して、各画素がノイズを含むか否かを判定し、ノイズを含まないと判定した画素については、エンハンス（強調）処理を施して映像重畳回路１７に出力し、ノイズを含まないと判定した画素については、エンハンス処理を施さずにそのまま映像重畳回路１７に出力する。
【００５２】
図１３に示すように、ＥＨ回路２１ａは、ＤＬＳ部６０１ａ、ＣＸＡ部６０２、ＢＸＡ部６０３、テーブルＴＸ部６０４ａ、６０５ａ、判定ＴＸＮ部６０６ａ、スイッチ６０８ａ、ＡＣＮ部６０９、ＡＢＮ部６１０、テーブルＴＸ部６１１ａ、６１２ａ、エンハンス回路６１９ａを含んで構成される。なお、本実施形態では、テーブルＴＸ部６０４ａ、６０５ａ、テーブルＴＮ部６１１ａ、６１２ａ、判定ＴＸＮ部６０６ａで、判定部６１７ａを構成する。
【００５３】
ＤＬＳ部６０１ａは、図２におけるＤＬＳ部６０１と同様に、対象画素の画素値を示す信号Ａ、第１の画素群の画素値を示す信号Ｂ１〜Ｂ８、第２の画素群の画素値を示す信号Ｃ１〜Ｃ８を抽出する。なお、本実施形態でも、第１の画素群は、対象画素から少なくとも３つの方向（ここでは８つの方向）各々に位置する画素を含む。また、第２の画素群は、対象画素から上述の少なくとも３つの方向各々と略同一の方向（ここでは同一の８つの方向）各々に位置する画素であって、第１の画素群には含まれない画素を含む。本実施形態では、第１の画素群、第２の画素群は、第１の実施形態とは異なるが、同じであってもよい。すなわち、ＤＬＳ部６０１ａは、図２のＤＬＳ部６０１と同一であってもよい。
【００５４】
テーブルＴＸ部６０４ａ、６０５ａ、テーブルＴＮ部６１１ａ、６１２ａは、図２のテーブルＴＸ部６０４、６０５、テーブルＴＮ部６１１、６１２と同様に、入力された信号が、予め決められたパターン（結果候補）のいずれかに一致するか否かを判定する。一致するときは、一致するパターンに対応する値を示す信号を生成し、一致しないときは、“０”を示す信号を生成する。ただし、予め決められたパターンが、図２のテーブルＴＸ部６０４、６０５、テーブルＴＮ部６１１、６１２よりも多い点が異なる。本実施形態における予め決められたパターンについては後述する。
【００５５】
なお、テーブルＴＸ部６０４ａの入力信号と出力信号は、それぞれ信号ＣＸと信号Ｘ３である。テーブルＴＸ部６０５ａの入力信号と出力信号は、それぞれ信号ＢＸと信号Ｘ４である。テーブルＴＮ部６１１ａの入力信号と出力信号は、それぞれ信号ＣＮと信号Ｎ３である。テーブルＴＮ部６１２ａの入力信号と出力信号は、それぞれ信号ＢＮと信号Ｎ４である。
【００５６】
判定ＴＸＮ部６０６ａは、図２の判定ＴＸ部６０６、判定ＴＮ部６１３と同様にして、処理対象画素がプラスのノイズまたはマイナスのノイズを含むか否かを判定し、該判定結果に基づき、スイッチ６０８ａを制御する。判定ＴＸＮ部６０６ａは、ノイズを含むと判定したときは、ＤＬＳ部６０１ａからの信号ＡがＥＨ回路２１ａの出力信号となるようにスイッチ６０８ａを制御する。また、判定ＴＸＮ部６０６ａは、ノイズを含まないと判定したときは、エンハンス回路６１９ａの出力信号がＥＨ回路２１ａの出力信号となるようにスイッチ６０８ａを制御する。エンハンス回路６１９ａは、ＤＬＳ部６０１ａが出力する信号Ａを受けて、映像のエンハンス処理をする。このエンハンス処理としては、輪郭強調処理、コントラスト強調処理が挙げられるが、これら以外の強調処理であってもよい。
【００５７】
図１４は、ＤＬＳ部６０１ａが生成する信号Ａ、信号Ｂ１〜Ｂ８、信号Ｃ１〜Ｃ８に対応する画素の位置関係を示す図である。本実施形態における信号Ｂ１〜Ｂ８、信号Ｃ１〜Ｃ８に対応する画素の位置は、第１の実施形態における信号Ｂ１〜Ｂ８、信号Ｃ１〜Ｃ８に対応する画素の位置と、処理対象画素からの方向は同じであるが、処理対象画素からの距離が異なる。すなわち、信号Ｂ１〜Ｂ８に対応する画素は、信号Ａに対応する処理対象画素に隣接している。また、信号Ｃ１〜Ｂ８に対応する画素は、処理対象画素から１画素おいた位置にある。
【００５８】
図１５は、テーブルＴＸ部６０４ａ、６０５ａ、テーブルＴＮ部６１１ａ、６１２ａにおける予め決められたパターンの例と、該パターンと一致したときの信号値との例を示す図である。テーブルＴＸ部６０４ａ、６０５ａ、テーブルＴＮ部６１１ａ、６１２ａは、図５に示すパターンに加えて、図１５に示すパターンを予め決められたパターンとする。
【００５９】
図１６は、図８に示した原画像に対して、本実施形態によるノイズ低減処理およびエンハンス処理をした画像を示す。すなわち、図１６に示す画像は、原画像に対してＮＲ回路１６およびＥＨ回路２１ａによる処理を施したものである。また、図１７は、図８に示した原画像に対して、本実施形態によるノイズ低減処理と、従来のエンハンス処理をした画像を示す。すなわち、図１７に示す画像は、原画像に対してＮＲ回路１６と従来のエンハンス処理を施したものである。図１６と図１７を比較すると、図１７では、背景部分のノイズが強調されてしまっているのに対し、図１６では、背景部分のノイズが強調されていないことが分かる。
【００６０】
このように、本実施形態によれば、各画素がノイズを含むか否かの判定を精度よく行うことができるので、エンハンス処理をする際に、ノイズも強調してしまうことを抑えることができる。
これは、第１の実施形態によるノイズ低減処理を施した図１１と比較しても、図１７はノイズが強調されていないことからも分かる。
【００６１】
なお、本実施形態において、テーブルＴＸ部６０４ａ、６０５ａ、テーブルＴＮ部６１１ａ、６１２ａにおける予め決められたパターンは、ＮＲ回路１６のテーブルＴＸ部６０４、６０５、テーブルＴＮ部６１１、６１２における予め決められたパターンよりも多くしたが、同一であってもよい。ただし、テーブルＴＸ部６０４ａ、６０５ａ、テーブルＴＮ部６１１ａ、６１２ａにおける予め決められたパターンの方が多い方が望ましい。これは、パターンが多くなるということは、該画素がノイズを含むと判定する条件が緩くなることに相当するからである。すなわち、ＮＲ回路１６においては、確実にノイズを含むと判断される画素についてのみノイズ低減を行う。これに対し、ＥＨ回路２１ａにおいては、ノイズを含む可能性がある画素については、なるべく強調処理を行わないようにすることで、ノイズを強調してしまう危険性を排除するようにする方が望ましいからである。
【００６２】
また、本実施形態ではノイズ低減に、第１の実施形態と同じＮＲ回路１６を用いたが、従来のノイズ低減処理など、その他のノイズ低減処理を用いるようにしてもよい。あるいは、ノイズ低減処理を行わなくてもよい。
【００６３】
［第３の実施形態］
以下、図面を参照して、本発明の第３の実施形態について説明する。図１８は、この発明の第３の実施形態による映像表示装置１０ｂの構成を示す概略ブロック図である。同図において、図１の各部に対応する部分には、同一の符号（１１〜１４、１７〜２０）を付し、説明を省略する。映像表示装置１０ｂは、図１における映像表示装置１０とは、画質調整部１５に変えて画質調整部１５ｂを有する点のみが異なる。また、画質調整部１５ｂは、画質調整部１５とは、ＮＲ回路１６に変えて、ＮＲＥＨ回路１６ｂを有する点のみが異なる。ＮＲＥＨ回路１６ｂは、ノイズ低減処理と、映像の強調処理とを行う。
【００６４】
図１９は、ＮＲＥＨ回路１６ｂの構成を示す概略ブロック図である。同図において、図２の各部に対応する部分には、同一の符号（６０１〜６１７）を付し、説明を省略する。ＮＲＥＨ回路１６ｂは、図２のＮＲ回路１６とは、ＤＬＳ部６０１とスイッチ６０８との間に、エンハンス回路６１９ａを有する点が異なる。すなわち、エンハンス回路６１９ａは、ＤＬＳ部６０１が出力した信号Ａに対して、エンハンス処理してスイッチ６０８に出力する。なお、エンハンス回路６１９ａは、図１３におけるエンハンス回路６１９ａと同様であるので、説明を省略する。
【００６５】
これにより、ＮＲＥＨ回路１６ｂが出力する信号は、判定ＴＸ部６０６または判定ＴＮ部６１３にて処理対象画素がノイズを含むと判定されたときは、ノイズ低減処理された信号となり、ノイズを含まないと判定されたときはエンハンス処理された信号となる。
したがって、本実施形態によれば、各画素がノイズを含むか否かの判定を精度よく行うことができるので、ノイズ低減と強調処理をしつつ、映像のボケを抑えることができる。
【００６６】
なお、上述の各実施形態における画像処理装置である画質調整部１５、１５ａ、１５ｂの各々は、一つの半導体チップあるいはプロセッサに実装されてもよいし、画質調整部１５、１５ａ、１５ｂに含まれる各部が、各々異なる半導体チップあるいはプロセッサに実装されてもよい。
また、上述の各実施形態では、テレビジョン受像装置などの映像表示装置に適用したが、ＨＤＤ（ハードディスクドライブ）レコーダ、デジタルカメラ、ビデオカメラなどに適用してもよい。デジタルカメラに適用する場合は、例えば、撮像素子が出力する映像信号に対して、ＮＲ回路１６や、ＥＨ回路２１ａ、ＮＲＥＨ回路１６ｂを用いて、ノイズ低減処理や、映像強調処理を行うことができる。
また、上述の各実施形態では、ＲＧＢ信号に対して、ノイズを含むか否かを判定し、ノイズ低減処理やエンハンス処理を行っているが、ＲＧＢ信号を輝度信号と色差信号に変換してから輝度信号と色差信号とに対して、同様の判定と処理を行うようにしてもよい。あるいは、輝度信号のみに対して、同様の判定と処理を行うようにしてもよいし、その他の映像信号に対して、同様の判定と処理を行うようにしてもよい。
【００６７】
また、図１における画質調整部１５、図１２における画質調整部１５ａ、図１８における画質調整部１５ｂの機能を実現するためのプログラムをコンピュータ読み取り可能な記録媒体に記録して、この記録媒体に記録されたプログラムをコンピュータシステムに読み込ませ、実行することにより各部を実現してもよい。なお、ここでいう「コンピュータシステム」とは、ＯＳや周辺機器等のハードウェアを含むものとする。
【００６８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００７０】
１０、１０ａ、１０ｂ…映像表示装置
１１…チューナー部
１２…ＳｏＣ部
１３…デコーダ部
１４…解像度変換部
１５、１５ａ、１５ｂ…画質調整部
１６…ＮＲ回路
１６ｂ…ＮＲＥＨ回路
１７…映像重畳回路
１８…液晶モジュール
１９…ＴＣＯＮ部
２０…ＬＣＤ部
６０１、６０１ａ…ＤＬＳ部
６０２…ＣＸＡ部
６０３…ＢＸＡ分
６０４、６０５、６０４ａ、６０５ａ…テーブルＴＸ部
６０６…判定ＴＸ部
６０６ａ…判定ＴＸＮ部
６０７…減算部
６０８、６０８ａ…スイッチ
６０９…ＡＣＮ部
６１０…ＡＢＮ部
６１１、６１２、６１１ａ、６１２ａ…テーブルＴＮ部
６１３…判定ＴＮ部
６１４…加算部
６１５…スイッチ
６１６…ノイズ量検出回路
６１７、６１８、６１７ａ…判定部
６１９ａ…エンハンス回路
７０１、７０２、７０３、７０４…垂直ＤＬ部
７０５、７０６、７０７、７０８、７０９、７１０、７１１、７１２、７１３、７１４、７１５、７１６、７１７、７１８、７１９、７２０、７２１、７２２…水平ＤＬ部
８０１…リードタイミング回路
８０２…ライトタイミング回路
８０３…フレームメモリ
８０４…スイッチ  
【図１】
2013187837.tif 000003
【図２】
2013187837.tif 000004
【図３】
2013187837.tif 000005
【図４】
2013187837.tif 000006
【図５】
2013187837.tif 000007
【図６】
2013187837.tif 000008
【図１２】
2013187837.tif 000009
【図１３】
2013187837.tif 000010
【図１４】
2013187837.tif 000011
【図１５】
2013187837.tif 000012
【図１８】
2013187837.tif 000013
【図１９】
2013187837.tif 000014
【図７】
2013187837.tif 000015
【図８】
2013187837.tif 000016
【図９】
2013187837.tif 000017
【図１０】
2013187837.tif 000018
【図１１】
2013187837.tif 000019
【図１６】
2013187837.tif 000020
【図１７】
2013187837.tif 000021